(57)【要約】【課題】  有線及び／又は無線ネットワークにネットワーク電子機器を容易に接続可能なネットワークインターフェース装置を提供すること。【解決手段】  本発明に係るネットワークインターフェース装置は，ネットワーク電子機器に着脱可能な第１のボード２１０を備え，この第１のボード２１０は，有線ネットワークに対し接続される第１のデータ処理ユニット２２０と；上記ネットワーク電子機器１００に対し着脱可能に連結される第１の接続端子３１５と；無線ネットワークと上記第１のデータ処理ユニット２２０との間の信号のやり取りを可能にするために，上記無線ネットワークおよび上記第１のデータ処理ユニット２２０から受信する信号を変換するオプション体２５０が連結される第１のリンク部２４０と；を備えることを特徴とする。【選択図】  図３
2005018771.tif 000002
【特許請求の範囲】
【請求項１】
ネットワーク電子機器を，少なくとも１つのネットワークに対し，信号のやり取り可能に接続するネットワークインターフェース装置において：
前記ネットワーク電子機器に着脱可能な第１のボードを備え，
前記第１のボードは，
無線ネットワークまたは有線ネットワークのうちいずれか一方のネットワークに対し，信号のやり取り可能に接続される第１のデータ処理ユニットと；
前記ネットワーク電子機器と前記第１のデータ処理ユニットとを信号のやり取り可能に接続するために，前記ネットワーク電子機器に対し着脱可能に連結される第１の接続端子と；
前記無線ネットワークまたは前記有線ネットワークのうちいずれか他方のネットワークと，前記第１のデータ処理ユニットとの間の信号のやり取りを可能にするために，前記他方のネットワークおよび前記第１のデータ処理ユニットから受信する信号を変換するオプション体が連結される第１のリンク部と；
を備えることを特徴とする，ネットワークインターフェース装置。
【請求項２】
前記オプション体は，
前記他方のネットワークに対し，信号のやり取り可能に接続される第２のデータ処理ユニットと；
前記第２のデータ処理ユニットに対し，信号のやり取り可能に接続され，前記第１のリンク部に連結される第２のリンク部と；
を備えた第２のボードであることを特徴とする，請求項１に記載のネットワークインターフェース装置。
【請求項３】
前記第１のリンク部と前記第２のリンク部は，相互に分離可能に連結されることを特徴とする，請求項２に記載のネットワークインターフェース装置。
【請求項４】
前記第１のリンク部と前記第２のリンク部とが連結された状態で，前記第１のボードと前記第２のボードとを固定する固定ユニット
をさらに備えることを特徴とする，請求項３に記載のネットワークインターフェース装置。
【請求項５】
前記固定ユニットは，前記第１のボードに分離可能に結合される固定ブラケットを含み，
前記第２のボードは，前記固定ブラケットにより前記第１のボード側に押し付けられることを特徴とする，請求項４に記載のネットワークインターフェース装置。
【請求項６】
前記第１のボードの一側面には，前記第１のデータ処理ユニットと，前記第１のデータ処理ユニットに対し，信号のやり取り可能に接続される電子部品とが配設され，
前記第１のボードの他側面には，前記第１のリンク部が配設されることを特徴とする，請求項１，２，３，４または５のいずれかに記載のネットワークインターフェース装置。
【請求項７】
前記第１のボードは，前記第１のデータ処理ユニットが接続される前記一方のネットワークに接続される第１のポートを備え，
前記第１のボードまたは前記第２のボードの少なくとも一方は，前記第２のデータ処理ユニットが接続される前記他方のネットワークに接続される接続ポートを備えることを特徴とする，請求項２，３，４，５または６のいずれかに記載のネットワークインターフェース装置。
【請求項８】
前記ネットワーク電子機器はプリンタであり，
前記第１のデータ処理ユニットは，
前記ネットワークから受信する信号をプリント制御信号に変換して前記第１の接続端子に出力し，前記第２のデータ処理ユニットから受信する信号をプリント制御信号に変換して前記第１の接続端子に出力する補助コントロールユニットと；
前記第１のボードの物理的なアドレスを記憶するメモリと；
前記第１のボードに割り当てられるＩＰアドレスを管理するアドレス管理ユニットと；
を含み，
前記第１のリンク部と前記第２のリンク部の連結時に，前記第１のボードと前記第２のボードとが，同一の物理的なアドレスおよび同一のＩＰアドレスを有するように管理することを特徴とする，請求項７に記載のネットワークインターフェース装置。
【請求項９】
前記接続ポートは，前記第１のボードに設けられ，前記第２のデータ処理ユニットが接続される前記他方のネットワークに選択的に接続される第３のポートを含み，
前記第２のデータ処理ユニットは，前記第１および第２のリンク部を介して，前記第３のポートに対し，信号のやり取り可能に接続されることを特徴とする，請求項７または８のいずれかに記載のネットワークインターフェース装置。
【請求項１０】
前記接続ポートは，前記第１のボードに設けられ，前記第２のデータ処理ユニットが接続される前記他方のネットワークに選択的に接続される第３のポートを含み，
前記第２のデータ処理ユニットは，前記第３のポートと前記第２のボードとを信号のやり取り可能に接続するケーブルを介して，前記第３のポートに対し，信号のやり取り可能に接続されることを特徴とする，請求項７または８のいずれかに記載のネットワークインターフェース装置。
【請求項１１】
前記第２のボードは，
前記第１のボードが装着される前記ネットワーク電子機器とは異なる他のネットワーク電子機器に着脱自在に連結され，前記第２のデータ処理ユニットに接続される第２の接続端子と；
前記第２のデータ処理ユニットが接続される前記他方のネットワークに接続される第２のポートと；
をさらに含むことを特徴とする，請求項項７または８のいずれかに記載のネットワークインターフェース装置。
【請求項１２】
前記第１のデータ処理ユニットは，前記有線ネットワークに接続され，
前記第２のデータ処理ユニットは，前記無線ネットワークに接続されることを特徴とする，請求項２，３，４，５，６，７，８，９，１０または１１のいずれかに記載のネットワークインターフェース装置。
【請求項１３】
ネットワーク電子機器を，少なくとも１つのネットワークに対し，信号のやり取り可能に接続するネットワークインターフェース装置において：
前記少なくとも１つのネットワークのいずれかである第１のネットワークから第１のデータを受信する第１の入力部と；
前記少なくとも１つのネットワークのいずれかである第２のネットワークから第２のデータを受信する第２の入力部と；
前記第１の入力部から入力された前記第１のデータを処理し，処理済みの第１のデータを生成する第１のデータ処理ユニットと；
前記第２の入力部から入力された前記第２のデータを処理し，処理済みの第２のデータを生成する第２のデータ処理ユニットと；
前記処理済みの第１のデータまたは前記処理済みの第２のデータのうち少なくとも一方を受信して，前記ネットワーク電子機器に伝送する接続端子と；
前記第１のデータ処理ユニットまたは前記第２のデータ処理ユニットのいずれか一方と，第１のリンク部とが設けられた第１のボードと；
前記第１のデータ処理ユニットまたは前記第２のデータ処理ユニットのいずれか他方と，第２のリンク部とが設けられた第２のボードと；
を備え，
前記第２のリンク部と，前記第１のリンク部とが連結されることにより，前記第１のボードと前記第２のボードとの間で信号のやり取り可能であり，
前記接続端子は，前記第１のボードと前記第２のボードの連結時に，前記処理済みの第１のデータまたは前記処理済みの第２のデータの少なくともいずれかを受信することを特徴とする，ネットワークインターフェース装置。
【請求項１４】
前記第１の入力部は，有線通信媒体を介して前記第１のデータを受信し，
前記第２の入力部は，無線通信媒体を介して前記第２のデータを受信することを特徴とする，請求項１３に記載のネットワークインターフェース装置。
【請求項１５】
前記第１の入力部は，ネットワークケーブルコネクタを含み，
前記第２の入力部は，アンテナを含むことを特徴とする，請求項１４に記載のネットワークインターフェース装置。
【請求項１６】
前記第１の入力部は，ＲＪ−４５コネクタを含むことを特徴とする，請求項１５に記載のネットワークインターフェース装置。
【請求項１７】
前記アンテナは，ＲＦアンテナであることを特徴とする，請求項１５または１６のいずれかに記載のネットワークインターフェース装置。
【請求項１８】
前記第１の入力部および前記第２の入力部は，前記第１のボードに設けられることを特徴とする，請求項１３，１４，１５，１６または１７のいずれかに記載のネットワークインターフェース装置。
【請求項１９】
前記ネットワーク電子機器はプリンタであることを特徴とする，請求１３，１４，１５，１６，１７または１８のいずれかに記載のネットワークインターフェース装置。
【請求項２０】
ネットワーク電子機器を，少なくとも１つのネットワークに対し，信号のやり取り可能に接続するネットワークインターフェース装置において：
有線通信媒体を介して前記少なくとも１つのネットワークのいずれかから有線データを受信する第１の入力部と；
無線通信媒体を介して前記少なくとも１つのネットワークのいずれかから無線データを受信する第２の入力部と；
前記第１の入力部から入力された前記有線データを処理し，処理済みの有線データを生成する第１のデータ処理ユニットと；
前記第２の入力部から入力された前記無線データを処理し，処理済みの無線データを生成する第２のデータ処理ユニットと；
前記処理済みの有線データまたは前記処理済みの無線データのうち少なくとも一方を受信し，前記ネットワーク電子機器に伝送する接続端子と；
前記第１のデータ処理ユニットまたは前記第２のデータ処理ユニットのいずれか一方と，第１のリンク部とが設けられた第１のボードと；
前記第１のデータ処理ユニットまたは前記第２のデータ処理ユニットのいずれか他方と，第２のリンク部とが設けられた第２のボードと；
を備え，
前記第２のリンク部は，前記第１および第２のボード同士を信号のやり取り可能に連結するために，前記第１のリンク部に連結自在であり，
前記接続端子は，前記第１のボードと前記第２のボードの連結時に，前記処理済みの有線データまたは前記処理済みの無線データの少なくともいずれかを受信することを特徴とする，ネットワークインターフェース装置。
【発明の詳細な説明】
【技術分野】
【０００１】
本発明は，ネットワークインターフェース装置に係り，より詳しくは，コンピュータおよびプリンタ等といったネットワーク接続可能な電子機器に設けられ，有線ネットワークまたは無線ネットワークに電子機器を接続するネットワークインターフェース装置に関する。
【背景技術】
【０００２】
通常，ネットワークインターフェース装置は，コンピュータ，プリンタ等といったネットワーク電子機器に装着され，該ネットワーク電子機器を有線ネットワークまたは無線ネットワークに接続する装置である。
【０００３】
図１および図２は，前述したネットワーク電子機器のうちのプリンタを一例に挙げて示したものである。図示したプリンタ１００は，一般に，相異なる２つのネットワークインターフェース装置１５０，１５０’を装着することにより，ネットワークに接続される。この場合，ネットワークインターフェース装置１５０，１５０’は，側面カバー１１０により外部から選択的に遮断されるプリンタ１００の装着部１１５に着脱自在に設けられ，基板１５１と，ブラケット１５３と，接続端子１５５を含む。
【０００４】
基板１５１は，一般に，所定の回路がプリントされたＰＣＢ（Ｐｒｉｎｔｅｄ  Ｃｉｒｃｕｉｔ  Ｂｏａｒｄ）で形成され，該基板１５１上には，有線または無線ネットワークと信号のやり取り可能なデータ処理ユニット（図示せず。）およびメモリ（図示せず。）等を含む複数の電子部品Ｐ（図３参照）が，上記回路と信号のやり取り可能に設けられる。そして，基板１５１の一方側には，プリンタ１００の接続スロット１１８に着脱自在に差し込まれる接続端子１５５が設けられる。接続端子１５５と接続スロット１１８との連結時には，上記データ処理ユニットは，プリンタ１００のプリンタ制御部１２０（図４参照）との間で信号のやり取り可能である。
【０００５】
一方，ブラケット１５３は，ネットワークインターフェース装置１５０，１５０’をプリンタ１００に固定するためのものであって，接続スロット１１８と接続端子１５５との連結時に，所定の締付け部材Ｓによりプリンタ１００に固定される。そして，ブラケット１５３は，上記データ処理ユニットを有線または無線ネットワークに接続させる接続ポート１５７，１５８を備える。有線ネットワーク用接続ポート１５７には，有線ネットワーク用ＬＡＮケーブルＬのような接続手段が連結され，無線ネットワーク用接続ポート１５８には，無線信号の送受信方式に対応するアンテナＡまたは光受信装置（図示せず。）等の別の部品が連結される。ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）のようにアンテナが組み込まれている無線ネットワークインターフェース装置では，前述のような無線ネットワーク用接続ポート１５８の設置を省略可能である。
【発明の開示】
【発明が解決しようとする課題】
【０００６】
以上のような構成の従来のネットワークインターフェース装置１５０，１５０’は，無線ＬＡＮ（Ｗｉｒｅｌｅｓｓ  ＬＡＮ），ＩＲＤＡ等のような無線ネットワーク用と，イーサネット（登録商標）のような有線ネットワーク用といったように，それぞれ別の装置として区分されて市販されている。
【０００７】
この結果，複数のネットワークインターフェース装置１５０，１５０’が装着できるように，複数の接続スロット１１８をプリンタ１００に設ける必要があった。このため，プリンタ１００が大型化し，かつその製造コストもアップするという問題があった。
【０００８】
そして，前述したように複数のネットワークインターフェース装置１５０，１５０’が設けられた電子機器でインターネット等を使用するためには，複数のネットワークインターフェース装置１５０，１５０’のそれぞれに対して，相異なるＩＰアドレスを与えて管理する必要がある。この結果，１つの電子機器に対し複数のＩＰアドレスを与えて管理する必要が生じるため，ネットワークの構築コストがアップするという問題もあった。
【０００９】
また，複数のネットワークインターフェース装置１５０，１５０’のそれぞれが，いずれも物理的なアドレス（物理アドレス），例えば，ＭＡＣ（Ｍｅａｄｉａ  Ａｃｃｅｓｓ  Ｃｏｎｔｒｏｌ）アドレスを有しているため，複数のネットワークインターフェース装置１５０，１５０’が１つの電子機器に共に設けられる場合，これらの管理が容易ではないという問題もあった。
【００１０】
そこで，本発明は，上記問題に鑑みてなされたものであり，本発明の目的とするところは，１つのネットワークインターフェース装置によって，ネットワーク電子機器を有線ネットワークおよび無線ネットワークの双方に容易に接続することが可能な，新規かつ改良されたネットワークインターフェース装置を提供することにある。
【課題を解決するための手段】
【００１１】
上記課題を解決するために，本発明のある観点によれば，ネットワーク電子機器を，少なくとも１つのネットワークに対し，信号のやり取り可能に接続するネットワークインターフェース装置が提供される。このネットワークインターフェース装置は，上記ネットワーク電子機器に着脱可能な第１のボードを備える。上記第１のボードは，無線ネットワークまたは有線ネットワークのうちいずれか一方のネットワークに対し，信号のやり取り可能に接続される第１のデータ処理ユニットと；上記ネットワーク電子機器と上記第１のデータ処理ユニットとを信号のやり取り可能に接続するために，上記ネットワーク電子機器に対し着脱可能に連結される第１の接続端子と；上記無線ネットワークまたは上記有線ネットワークのうちいずれか他方のネットワークと，上記第１のデータ処理ユニットとの間の信号のやり取りを可能にするために，上記他方のネットワークおよび上記第１のデータ処理ユニットから受信する信号を変換するオプション体が連結される第１のリンク部と；を備えることを特徴とする。
【００１２】
これによれば，単一接続スロットに差し込まれる１つのネットワークインターフェース装置でも有線ネットワークおよび無線ネットワークのいずれか一方または双方にネットワーク電子機器を接続させることができる。このため，ネットワーク電子機器を小型化することができると共に，ネットワーク電子機器の使用先によっては安価のネットワーク電子機器を提供することができる。
【００１３】
また，上記オプション体は，上記他方のネットワークに対し，信号のやり取り可能に接続される第２のデータ処理ユニットと；上記第２のデータ処理ユニットに対し，信号のやり取り可能に接続され，上記第１のリンク部に連結される第２のリンク部と；を備えた第２のボードであってもよい。
【００１４】
また，上記第１のリンク部と上記第２のリンク部は，相互に分離可能に連結されるようにしてもよい。
【００１５】
そして，上記第１のリンク部は，上記第１のボードに形成される接続溝を含み，第２のリンク部は，上記接続溝に分離自在に係合されるように上記第２のボードに突設される接続突起を含み，上記第１および第２のボードは，上記接続溝と接続突起との係合の時，相互信号のやり取り可能に連結されてもよい。
【００１６】
また，上記第１のリンク部と上記第２のリンク部とが連結された状態で，上記第１のボードと上記第２のボードとを固定する固定ユニットをさらに備えるようにしてもよい。
【００１７】
また，上記固定ユニットは，上記第１のボードに分離可能に結合される固定ブラケットを含み，上記第２のボードは，上記固定ブラケットにより上記第１のボード側に押し付けられるようにしてもよい。
【００１８】
また，上記第１のボードの一側面には，上記第１のデータ処理ユニットと，上記第１のデータ処理ユニットに対し，信号のやり取り可能に接続される電子部品とが配設され，上記第１のボードの他側面には，上記第１のリンク部が配設されるようにしてもよい。
【００１９】
そして，上記第１のボードは，上記第１のデータ処理ユニットが接続するいずれか一方のネットワークに上記第１のデータ処理ユニットを接続する第１のポートを含み，上記第１および第２のボードの少なくとも一方には，上記第２のデータ処理ユニットが接続される他方のネットワークに接続される接続ポートが設けられることが好ましい。
【００２０】
また，上記第１のボードは，上記第１のデータ処理ユニットが接続される上記一方のネットワークに接続される第１のポートを備え，上記第１のボードまたは上記第２のボードの少なくとも一方は，上記第２のデータ処理ユニットが接続される上記他方のネットワークに接続される接続ポートを備えるようにしてもよい。
【００２１】
また，上記ネットワーク電子機器はプリンタであり，上記第１のデータ処理ユニットは，上記ネットワークから受信する信号をプリント制御信号に変換して上記第１の接続端子に出力し，上記第２のデータ処理ユニットから受信する信号をプリント制御信号に変換して上記第１の接続端子に出力する補助コントロールユニットと；上記第１のボードの物理的なアドレスを記憶するメモリと；上記第１のボードに割り当てられるＩＰアドレスを管理するアドレス管理ユニットと；を含み，上記第１のリンク部と上記第２のリンク部の連結時に，上記第１のボードと上記第２のボードとが，同一の物理的なアドレスおよび同一のＩＰアドレスを有するように管理するようにしてもよい。
【００２２】
また，上記接続ポートは，上記第１のボードに設けられ，上記第２のデータ処理ユニットが接続される上記他方のネットワークに選択的に接続される第３のポートを含み，上記第２のデータ処理ユニットは，上記第１および第２のリンク部を介して，上記第３のポートに対し，信号のやり取り可能に接続されるようにしてもよい。
【００２３】
また，上記接続ポートは，上記第１のボードに設けられ，上記第２のデータ処理ユニットが接続される上記他方のネットワークに選択的に接続される第３のポートを含み，上記第２のデータ処理ユニットは，上記第３のポートと上記第２のボードとを信号のやり取り可能に接続するケーブルを介して，上記第３のポートに対し，信号のやり取り可能に接続されるようにしてもよい。
【００２４】
そして，上記第３のポートと上記第１のリンク部とは，上記第１のデータ処理ユニットを介して接続され，上記第３のポートと上記第２のデータ処理ユニットとは，信号の送受信用ケーブルを介して信号のやり取り可能に直接連結されてもよい。
【００２５】
また，上記第２のボードは，上記第１のボードが装着される上記ネットワーク電子機器とは異なる他のネットワーク電子機器に着脱自在に連結され，上記第２のデータ処理ユニットに接続される第２の接続端子と；上記第２のデータ処理ユニットが接続される上記他方のネットワークに接続される第２のポートと；をさらに含むようにしてもよい。
【００２６】
これによれば，第１のボードのみならず，第２のボードも独立してネットワーク電子機器に装着され，独立したネットワークインターフェース機能を果たすことができるようになる。
【００２７】
また，上記第１のデータ処理ユニットは，上記有線ネットワークに接続され，上記第２のデータ処理ユニットは，上記無線ネットワークに接続されるようにしてもよい。
【００２８】
ここで，上記第１および第２のデータ処理ユニットのそれぞれは，上記第１および第２のボードに対応する物理的なアドレスを記憶するメモリを含み，上記第１のデータ処理ユニットは，上記第１のボードが上記第２のボードに連結された状態で上記ネットワーク電子機器に装着された時，上記第２のボードの物理的なアドレスが上記第１のボードの物理的なアドレスと同一になるように上記第２のデータ処理ユニットを制御するようにしてもよい。
【００２９】
そして，上記第１および第２のデータ処理ユニットのそれぞれは，上記第１および第２のボードのそれぞれが相互異なるＩＰアドレスが割り当てられるように管理するアドレス管理ユニットを含み，上記第１のデータ処理ユニットは，上記第１のボードが上記第２のボードに連結された状態で上記ネットワーク電子機器に接続された時，上記第２のボードに割り当てられたＩＰアドレスが上記第１のボードのＩＰアドレスと同一になるように上記第２のデータ処理ユニットを制御してもよい。
【００３０】
また，上記接続ポートは，上記第２のデータ処理ユニットが接続される上記他方のネットワークに分離自在に接続されるように，上記第１のボードに設けられる第２のポートを含み，上記第２のデータ処理ユニットは，上記第１および第２のリンク部が結合された状態で上記第１のボードが上記ネットワーク電子機器に装着された時，上記第２のポートを介して上記他方のネットワークに接続されてもよい。
【００３１】
この時，上記第１のボードが連結されるネットワーク電子機器と上記第２のボードが連結されるネットワーク電子機器のそれぞれは，相互異なるプロトコルにより上記第１および第２のボードと信号のやり取りを行ってもよい。
【００３２】
また，上記課題を解決するために，本発明の別の観点によれば，ネットワーク電子機器を，少なくとも１つのネットワークに対し，信号のやり取り可能に接続するネットワークインターフェース装置が提供される。このネットワークインターフェース装置は，上記少なくとも１つのネットワークのいずれかである第１のネットワークから第１のデータを受信する第１の入力部と；上記少なくとも１つのネットワークのいずれかである第２のネットワークから第２のデータを受信する第２の入力部と；上記第１の入力部から入力された上記第１のデータを処理し，処理済みの第１のデータを生成する第１のデータ処理ユニットと；上記第２の入力部から入力された上記第２のデータを処理し，処理済みの第２のデータを生成する第２のデータ処理ユニットと；上記処理済みの第１のデータまたは上記処理済みの第２のデータのうち少なくとも一方を受信して，上記ネットワーク電子機器に伝送する接続端子と；上記第１のデータ処理ユニットまたは上記第２のデータ処理ユニットのいずれか一方と，第１のリンク部とが設けられた第１のボードと；上記第１のデータ処理ユニットまたは上記第２のデータ処理ユニットのいずれか他方と，第２のリンク部とが設けられた第２のボードと；を備える。さらに，上記第２のリンク部と，上記第１のリンク部とが連結されることにより，上記第１のボードと上記第２のボードとの間で信号のやり取り可能である。さらに上記接続端子は，上記第１のボードと上記第２のボードの連結時に，上記処理済みの第１のデータまたは上記処理済みの第２のデータの少なくともいずれかを受信することを特徴とする。
【００３３】
また，上記第１の入力部は，有線通信媒体を介して上記第１のデータを受信し，上記第２の入力部は，無線通信媒体を介して上記第２のデータを受信するようにしてもよい。
【００３４】
また，上記第１の入力部は，ネットワークケーブルコネクタを含み，
上記第２の入力部は，アンテナを含むようにしてもよい。
【００３５】
また，上記第１の入力部は，ＲＪ−４５コネクタを含むようにしてもよい。
【００３６】
また，上記アンテナは，ＲＦアンテナであるようにしてもよい。
【００３７】
また，上記第１の入力部および上記第２の入力部は，上記第１のボードに設けられるようにしてもよい。
【００３８】
また，上記ネットワーク電子機器はプリンタであるようにしてもよい。
【００３９】
また，上記課題を解決するために，本発明の別の観点によれば，ネットワーク電子機器を，少なくとも１つのネットワークに対し，信号のやり取り可能に接続するネットワークインターフェース装置が提供される。このネットワークインターフェース装置は，有線通信媒体を介して上記少なくとも１つのネットワークのいずれかから有線データを受信する第１の入力部と；無線通信媒体を介して上記少なくとも１つのネットワークのいずれかから無線データを受信する第２の入力部と；上記第１の入力部から入力された上記有線データを処理し，処理済みの有線データを生成する第１のデータ処理ユニットと；上記第２の入力部から入力された上記無線データを処理し，処理済みの無線データを生成する第２のデータ処理ユニットと；上記処理済みの有線データまたは上記処理済みの無線データのうち少なくとも一方を受信し，上記ネットワーク電子機器に伝送する接続端子と；上記第１のデータ処理ユニットまたは上記第２のデータ処理ユニットのいずれか一方と，第１のリンク部とが設けられた第１のボードと；上記第１のデータ処理ユニットまたは上記第２のデータ処理ユニットのいずれか他方と，第２のリンク部とが設けられた第２のボードと；を備える。さらに，上記第２のリンク部は，上記第１および第２のボード同士を信号のやり取り可能に連結するために，上記第１のリンク部に連結自在である。さらに，上記接続端子は，上記第１のボードと上記第２のボードの連結時に，上記処理済みの有線データまたは上記処理済みの無線データの少なくともいずれかを受信することを特徴とする。
【００４０】
また，上記課題を解決するために，本発明の別の観点によれば，ネットワーク電子機器を，少なくとも１つの通信ネットワークに信号のやり取り可能に接続させるネットワークインターフェース装置は，外部有線通信ネットワークから有線データを受信し，該有線データを処理し処理済みの有線データを生成する第１のデータ処理ユニットと，第１のリンク部を含む第１の回路ボードと；少なくとも１つの外部無線通信ネットワークから無線データを受信し，該無線データを処理し処理済みの無線データを生成する第２のデータ処理ユニットと第２のリンク部を含む第２の回路ボードと；上記処理済みの無線および／または有線データを受信し，上記処理済みの無線および／または有線データをネットワーク電子機器に伝送する接続端子と；を含み，上記第１のリンク部および第２のリンク部は，相互連結されて上記第１の回路ボードと第２の回路ボード同士を信号のやり取り可能に連結し，上記接続端子は，上記第１および第２のリンク部の連結の時，上記処理済みの有線データのいずれかおよび上記処理済みの無線データのいずれかを受信することを特徴とする。
【００４１】
また，上記課題を解決するために，本発明の別の観点によれば，スロットを備えるネットワーク電子機器を，少なくとも１つの通信ネットワークに信号のやり取り可能に接続させるネットワークインターフェース装置は，上記スロットに分離自在に連結されるブラケットと，ネットワーク電子機器および上記ネットワークのいずれか一方との信号のやり取りを提供する第１のデータ処理ユニットと，上記ネットワーク電子機器に上記第１のデータ処理ユニットの連結を可能にする第１の接続端子と，上記第１のデータ処理ユニットと上記通信ネットワークとの接続を可能にする第１のポートと，上記通信ネットワークのいずれか他方と上記第１のデータ処理ユニットの接続を可能にする第１のリンク部と，を含む第１の回路ボードと，を備えることを特徴とする。
【００４２】
上記第１の回路ボードに分離自在に装着される第２の回路ボードをさらに備え，第２の回路ボードは，上記第１のデータ処理ユニットを介しての上記通信ネットワークのいずれか他方と上記ネットワーク電子機器との信号のやり取りを提供する第２のデータ処理ユニットと，上記第２のデータ処理ユニットを上記第１の回路ボードの第１のリンク部に連結可能にする第２のリンク部と，上記通信ネットワークのいずれか他方と第２のデータ処理ユニットとを接続する第２のポートと，を含むようにしてもよい。
【００４３】
また，上記課題を解決するために，本発明の別の観点によれば，第１のボードに連結されるスロットを備えるネットワーク電子機器を，少なくとも１つの通信ネットワークに信号のやり取り可能に接続させるネットワークインターフェース装置は，上記第１のボードに分離自在に連結される第２のボードを含み，上記第２のボードは，信号のやり取りを提供するデータ処理ユニットと，データ処理ユニットと第１のボードを連結するリンク部と，上記データ処理ユニットに接続可能な上記通信ネットワークのいずれか一方を接続させる接続ポートと，を含み，ブラケットを備えないことを特徴とする。
【発明の効果】
【００４４】
以上説明したように本発明によれば，１つのネットワークインターフェース装置によって，ネットワーク電子機器を有線ネットワークおよび無線ネットワークの双方に容易に接続することができる。
【発明を実施するための最良の形態】
【００４５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００４６】
（第１の実施形態）
まず，本発明の第１の実施形態にかかるネットワークインターフェース装置について説明する。
【００４７】
図３は，本発明の第１の実施形態に係るネットワークインターフェース装置２００の外観構成を示す分離斜視図であり，図４は，本発明の第１の実施形態に係るネットワークインターフェース装置２００の構成を示すブロック図である。
【００４８】
図３，４に示すように，本発明の第１の実施形態に係るネットワークインターフェース装置２００は，相互に信号のやり取りができるように相互に分離自在に連結される第１のボード２１０と，第２のボード２５０とを備える。
【００４９】
第１のボード２１０は，第１のデータ処理ユニット２２０と，第１の接続端子２１５と，第１のリンク部２４０と，第１のポート２１７と，を有する。第１のデータ処理ユニット２２０は，一般に，第１のボード２１０の基板２１１上に設けられる複数の電子部品（図３では，第１のボード２１０の見えない側の面に設けられているため，図示されていない。）から形成され，無線ネットワークＷまたは有線ネットワークＥのいずれか一方と信号のやり取り可能に構成される。本実施形態における第１のデータ処理ユニット２２０は，例えば，有線ネットワークＥと信号のやり取り可能に構成される。
【００５０】
第１の接続端子２１５は，第１のデータ処理ユニット２２０をプリンタ１００（図１参照）に接続するための装置である。また，第１のポート２１７は，第１のデータ処理ユニット２２０を，例えば有線ネットワークＥに接続するための装置（接続ポート）である。この第１のポート２１７は，ネットワークからデータを受信する第１の入力部に相当する。
【００５１】
本実施形態における第１の接続端子２１５は，プリンタ１００の内部に設けられた接続スロット１１８（図２参照）に着脱自在に差し込まれる。これにより，かかる第１の接続端子２１５および接続スロット１１８を介して，プリンタ１００の本体内に設けられたプリンタ制御部ｒ１２０と，第１のデータ処理ユニット２２０とを接続できる。
【００５２】
また，第１のポート２１７は，ＬＡＮケーブルＬ等のような物理的な接続手段を介して他のネットワーク電子機器に連結される。このような接続ポート２１７は，ブラケット２１２上に設けられ，第１のボード２１０をプリンタ１００に装着した時に，プリンタ１００の外部面に露出されることが好ましい。本実施形態にかかるブラケット２１２は，例えば，前述した従来のブラケット１５３（図２参照）と略同一に構成できるため，ここでは詳細な説明を省略する。
【００５３】
また，第１のリンク部２４０は，第１のボード２１０と第２のボード２５０とを連結するためのものである。なお，説明していない補助コントロールユニット２３０は，本実施形態に係るプリンタ１００に装着されるネットワークインターフェース装置２００の場合にのみ必要とされる構成要素である。前述した第１のリンク部２４０と，この補助コントロールユニット２３０に関する詳細は後述するので，ここではその説明を省略する。
【００５４】
第２のボード２５０は，第２のデータ処理ユニット２６０と，第２のリンク部２７０と，第２のポート２８０とを有する。第２のデータ処理ユニット２６０は，第２のボード２５０の基板２５１上に設けられる複数の電子部品Ｐにより無線ネットワークＷまたは有線ネットワークＥのいずれか一方に接続される。ここで，第２のボード２５０は，第１のデータ処理ユニット２２０が接続されていない方のネットワークに接続されることが好ましい。本実施形態では，上記第１のデータ処理ユニット２２０は，無線ネットワークＥに接続され，第２のデータ処理ユニット２６０は，無線ネットワークＷに接続される例について説明する。
【００５５】
このように，第２のデータ処理ユニット２６０を無線ネットワークＷに接続する場合には，第２のボード２５０は，次に例示するような各種の形態で構成することができる。例えば，第２のボード２５０は，第１のボード２１０に設けられた接続ポートである第３のポート２１９（図３参照，図４では図示を省略している。）と，この第３のポート２１９に連結されるアンテナＡ等といった無線送受信装置とを介して，無線ネットワークＷに接続されてもよい。或いは，第２のボード２５０は，例えば，プリンタ１００の外部に露出しないように基板２５１に設けられる内蔵アンテナ（図示せず。）を介して，無線ネットワークＷに接続されてもよい。
【００５６】
本実施形態における第２のボード２５０は，チューナー形態の第２のポート２８０（第２の接続ポート）を備える。この第２のポート２１７は，ネットワークからデータを受信する第２の入力部に相当する。この第２のポート２８０は，例えば，第１のボード２１０の第３のポート２１９（図３参照）に対し，信号やり取り用ケーブルＣ（図３参照）を介して連結される。これにより，第２のポート２８０は，第２のボード２５０を無線ネットワークＷに接続することができる。なお，第３のポート２１９に連結されるアンテナＡは，例えば，高周波アンテナであるＲＦアンテナ（Ｒａｉｄｏ  Ｆｒｅｑｕｅｎｃｙ  Ａｎｔｅｎｎａ）等であることが好ましい。
【００５７】
また，第２のリンク部２７０は，選択的に第１のリンク部２４０に連結され，第１のボード２１０と第２のボード２５０とを連結し，双方の間で信号のやり取りを可能にするためのものである。この連結のために，第１および第２のリンク部２４０，２７０は，各種の形態で構成することが可能である。例えば，本実施形態においては，第１のリンク部２４０に形成された接続溝２４５と，第２のリンク部２７０に突設され，該接続溝２４５に着脱自在に係合する接続突起２７５とが設けられる。また，この例以外にも，一般に使用される任意の信号やり取り用ケーブル（図示せず。）を用いて，第１のリンク部２４０と第２のリンク部２７０とを連結する遠距離連結方式を採用することもできる。
【００５８】
ここで，図３に示したように，接続突起２７５を有する第２のリンク部２７０と，接続溝２４５を有する第１のリンク部２４０とが相互に連結された時には，第１および第２のボード２１０，２５０は，相互に密接する。このように第１のボード２１０と第２のボード２５０とが相互に密接した状態で，第１のボード２１０と第２のボード２５０とが相互に信号のやり取り可能に連結（結合）される場合，第１のボード２１０に設けられる複数の電子部品の大半を第１のボード２１０の一側面（図３で目視不可能な面）に配設し，第１のボード２２０の他側面（図３で目視可能な面）に例えば第１のリンク部２４０のみを配設することにより，第１および第２のボード２１０，２５０を容易に連結できるようにすることが好ましい。
【００５９】
上記のように，本実施形態にかかるネットワークインターフェース装置２００は，第１および第２のボード２１０，２５０が接続突起２７５と接続溝２４５により連結される。この場合には，図３に示すように，第１および第２のボード２１０，２５０の連結状態を堅固に維持するために，双方を固定する固定ユニットをさらに含むことが好ましい。この固定ユニットは，例えば，第１のボード２１０と第２のボード２５０とが相互に連結された状態で，第１のボード２１０に対する第２のボード２５０の移動を制限し，第１のボード２１０から第２のボード２５０が離脱することを防止する部材である。
【００６０】
本実施形態に係るネットワークインターフェース装置２００では，上記固定ユニットとして，例えば，第１のボード２１０に分離自在に結合される固定ブラケット２９０が設けられる。固定ブラケット２９０に突設された複数の弾性突起２９３，２９５と，第１のボード２１０に貫通形成された複数の結合孔２１３とが係合することにより，固定ブラケット２９０が第１のボード２１０に連結，固定される。この連結によって，固定ブラケット２９０は，第２のボード２５０を第１のボード２１０側に密着させる。
【００６１】
以上のように構成される本発明の第１の実施形態に係るネットワークインターフェース装置２００の動作を簡略に説明すると，次の通りである。
【００６２】
まず，プリンタ１００に第１のボード２１０だけが装着された場合，第１のデータ処理ユニット２２０は，第１のポート２１７を介して有線ネットワークＥに接続され，第１の接続端子２１５を介してプリンタ制御部１２０に信号のやり取り可能に連結される。特に，本実施形態のように，プリンタ１００が，一般のコンピュータ（図示せず。）の通信プロトコルとは異なる方式の通信プロトコルに従って信号のやり取りを行う場合に，かかるプリンタ１００に設けられる第１のボード２１０は，例えば，補助コントロールユニット２３０をさらに備えるようにしてもよい。補助コントロールユニット２３０は，相互に接続された第１のデータ処理ユニット２２０とプリンタ制御部１２０とが，相互に信号のやり取り可能にするための構成である。この，補助コントロールユニット２３０は，例えば第１のデータ処理ユニット２２０に含まれるようにして設けられる。
【００６３】
この場合，補助コントロールユニット２３０は，有線ネットワークＥから入力された信号を，プリンタ１００で処理可能な信号形式（例えばプリント制御信号）に変換してプリンタ制御部１２０に出力する。これとは逆に，上記補助コントロールユニット２３０は，プリンタ制御部１２０から入力された信号を，有線ネットワークＥにおいて使用可能な形式に変換して，有線ネットワークＥに出力する。これにより，補助コントロールユニット２３０の信号変換機能を有する高仕様の制御部（図示せず。）をプリンタ１００の保体内に設けなくても済むため，ネットワーク接続機能を不要とする場所において使用されるプリンタ１００を低廉に提供することができる。
【００６４】
一方，第１および第２のボード２１０，２５０が，相互に連結された状態でプリンタ１００に装着された場合，有線ネットワークＥとプリンタ１００との接続は，前述した第１のボード２１０だけがプリンタ１００に連結された場合と同様に行われ，無線ネットワークＷとプリンタ１００との接続は，第２のポート２８０を介して行われる。即ち，第２のポート２８０を介して第２のデータ処理ユニット２６０と無線ネットワークＷとが接続されることにより，無線ネットワークＷとプリンタ１００とが相互に信号のやり取り可能に接続されるのである。
【００６５】
さらに，第２のボード２５０は，第１および第２のリンク部２４０，２７０を介して，プリンタ１００から電源までも供給され得るようになる。この場合，第２のデータ処理ユニット２６０は，第２のリンク部２７０と，第１のリンク部２４０と，第１の接続端子２１５とを順次に介して，プリンタ１００に連結される。
【００６６】
また，本実施形態のように，第１および第２のボード２１０，２５０が相互に連結（結合）された状態でプリンタ１００に装着される場合，第１のリンク部２４０と第１の接続端子２１５とを接続する配線経路上に第１のデータ処理ユニット２２０を配設して，この第１のデータ処理ユニット２２０が，第１の接続端子２１５および第２のデータ処理ユニット２６０を制御するようにすることが好ましい。
【００６７】
以上で説明したように，プリンタ１００が有線および無線ネットワークＥ，Ｗに接続された場合，該ネットワークＥ，Ｗにそれぞれ対応するプリンタ１００のネットワークアドレス，例えばＩＰアドレスが，同一アドレスとなるように割り当てられることが好ましい。この結果，１つのプリンタ１００に複数のＩＰアドレスが与えられることに起因する，ネットワークのメンテナンスが複雑になることを防止することができる。このために，本実施形態では，第１のデータ処理ユニット２２０がアドレス管理ユニット２２７をさらに有し，このアドレス管理ユニット２２７は，第２のデータ処理ユニット２６０に与えられるＩＰアドレスが第１のデータ処理ユニット２２０に与えられるＩＰアドレスと同一になるように管理する。
【００６８】
前述したように，第１および第２のボード２１０，２５０に同一のＩＰアドレスが割り当てられると，第１のデータ処理ユニット２２０は，各ポート２１７，２８０を介して受信する信号をメモリ２２５に順次に一次記憶（仮記憶）する。そして，第１のデータ処理ユニット２２０は，メモリ２２５に先に記憶された信号に対応するいずれか一方のネットワーク（例えば有線ネットワークＥ）と，プリンタ制御部１２０との信号のやり取りが完了するまで，いずれか他方のネットワーク（例えば無線ネットワークＷ）から入力される信号を待機させる。その後，第１のデータ処理ユニット２２０は，先行の信号のやり取りが完了した後，上記いずれか他方ネットワークに対応するポートを介して入力される信号に対応するように，プリンタ制御部１２０と当該ネットワークとの信号のやり取りを制御する。これにより，有線および無線ネットワークＥ，Ｗ上において同一のネットワークアドレスを有する第１および第２のデータ処理ユニット２２０，２６０を介して，信号を重複受信することに起因するプリンタ１００の誤動作を防止することができる。
【００６９】
また，本実施形態に係るネットワークインターフェース装置２００では，第１および第２のボード２１０，２５０が，統一された１つの物理的なアドレス，例えば，ＭＡＣ（Ｍｅｄｉａ  Ａｃｃｅｓｓ  Ｃｏｎｔｒｏｌ）アドレスを有するように構成されることが好ましい。このために，第１のデータ処理ユニット２２０は，メモリ２２５に記憶されているＭＡＣアドレスが，第１および第２のボード２１０，２５０のＭＡＣアドレスになるように，第２のデータ処理ユニット２６０を制御する。これにより，第１および第２のボード２１０，２５０が，仮に複数のネットワークＥ，Ｗにプリンタ１００を接続させる複合機能を有していても，第１および第２のボード２１０，２５０を１つの装置として管理することが可能であるため，これらの装置の管理を容易に実行できる。
【００７０】
（第２の実施形態）
次に，本発明の第２の実施形態にかかるネットワークインターフェース装置について説明する。
【００７１】
図５は，本発明の第２の実施形態に係るネットワークインターフェース装置３００の外観構成を示す斜視図であり，図６は，本発明の第２の実施形態に係るネットワークインターフェース装置３００の構成を示すブロック図である。
【００７２】
なお，第２の実施形態にかかるネットワークインターフェース装置３００は，上記第１の実施形態にかかるネットワークインターフェース装置２００と比して，以下に説明する点で相違するのみであり，その他の機能構成は略同一であるので，詳細説明は省略する。また，第２の実施形態にかかるネットワークインターフェース装置３００における符号３１５，３１７，３２０，３２５，３２７，３３０，３４０，３６０，３７０，３８０で示される各構成要素は，それぞれ，上記第１の実施形態にかかるネットワークインターフェース装置２００における符号２１５，２１７，２２０，２２５，２２７，２３０，２４０，２６０，２７０，２８０で示される各構成要素と，略同一の機能構成を有しているものとする。
【００７３】
図５，６に示すように，本発明の第２の実施形態に係るネットワークインターフェース装置３００では，第２のボード３５０が，単独でプリンタ１００の接続スロット１１８（図２参照）に差し込み可能である，或いは，プリンタ１００の通信プロトコルとは異なる形式の通信プロトコルに従って信号のやり取りを可能なコンピュータ（図示せず。）等の他のネットワーク電子機器に設けられ得るという点において，前述の第１の実施形態の場合と相違している。
【００７４】
これを達成するために，第２の実施形態に係るネットワークインターフェース装置３００の第２のボード３５０は，第２の接続端子３９０をさらに備える。この第２の接続端子３９０は，第１の接続端子３１５と略同一に構成してもよいし，または，第１の接続端子３１５とは異なる通信プロトコルに従って信号をやり取り可能に構成してもよい。
【００７５】
また，第２の実施形態における第１のボード３１０は，第３のポート３１９をさらに備える。この第３のポート３１９は，別途設けられたケーブルＣを介して第２のボード３５０に連結され，第２のデータ処理ユニット３６０との間で信号のやり取り可能に接続される。この他にも，図示してはいないものの，上記第３のポート３１９と第２のデータ処理ユニット３６０との連結は，補助コントロールユニット３３０と第１および第２のリンク部材３４０，３７０を順次に介して行うことができる。
【００７６】
かかる構成により，ネットワークインターフェース装置３００の設置環境によっては第２のボード３５０に第２のポート３８０の設置が不可能である場合や，第２のボード３５０に第２のポート３８０を設置しても第２のポート３８０を使用することができない場合などにおいて，第２のデータ処理ユニット３６０が，第３のポート３１９を介して上記外部ネットワークに迂回して接続できるようになる。このために，第２のデータ処理ユニット３６０が無線ネットワークＷに接続される場合には，第３のポート３１９は，無線ネットワークＷの信号の送受信方式に対応する別の送受信装置（例えばアンテナＡ）に連結されるように構成され，一方，第２のデータ処理ユニット３６０が有線ネットワークＥに接続される場合には，第３のポート３１９は，例えばＲＪ−４５  ＪＡＣＫのような有線ネットワーク用接続ポートで構成されることが好ましい。
【００７７】
また，本実施形態では，第２のボード３５０が単独で他のネットワーク電子機器に装着されて使用しうるように，第２のデータ処理ユニット３６０が，メモリ３６５とアドレス管理ユニット３６７をさらに含む。この結果，第２のボード３５０が単独でネットワーク電子機器に適用される場合，第２のボード３５０が第１のボード３１０とは異なるＭＡＣアドレスとＩＰアドレスを有することができるようになる。即ち，第２のボード３５０が独立したネットワークインターフェース機能を果たすことができるようになる。しかし，第１のボード３１０と第２のボード３５０とが連結（結合）された状態で使用される場合，第１のデータ処理ユニット３２０は，第２のデータ処理ユニット３６０を制御し，第２のボード３５０が第１のボード３１０と同一のＭＡＣアドレスとＩＰアドレスを有するように制御する。この場合，前述の第１の実施形態の場合と同様な効果が保障できるようになる。
【００７８】
以上，詳細に説明したように，上記第１および第２の実施形態によれば，ネットワーク電子機器１００に設けられた１つの接続スロット１１８に，有線ネットワークまたは無線ネットワークのいずれか一方若しくは双方に接続可能な，１つのネットワークインターフェース装置２００，３００が提供される。これにより，ネットワーク電子機器１００の小型化が可能になり，ネットワーク電子機器１００の製造コストを低減できる。さらに，ネットワークインターフェース装置２００，３００の管理も容易に実行できるようになる。
【００７９】
さらに，ネットワーク電子機器１００の設置環境に対応する第１のボード２１０，３１０および第２のボード２５０，３５０の設置有無によって，無線／有線ネットワーク通信機能を，ネットワーク機器１００に対して，容易に追加／削除することができる。このため，ネットワーク電子機器１００の製造工程をより簡単にできるという効果も奏する。
【００８０】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００８１】
例えば，上記実施形態では，ネットワーク用プリンタ１００に装着されるネットワークインターフェース装置２２０，３００として，第１のボード２１０，３１０が有線ネットワークＥに接続され，第２のボード２５０，３５０が無線ネットワークに接続される場合を例に挙げて説明した。しかし，本発明は，必ずしもこれに限られるものではない。
【００８２】
即ち，本発明に係るネットワークインターフェース装置は，パーソナルコンピュータ，プリンタ，ノートブック，ＰＤＡ（Ｐｅｒｓｏｎａｌ  Ｄｉｇｉｔａｌ  Ａｓｓｉｓｔａｎｔｓ），携帯電話，家庭用ゲーム機，情報家電など，各種のネットワーク電子機器（ネットワークへの接続が可能な電子機器）に適用可能である。
【００８３】
また，第１のボード２１０，３１０が無線ネットワークＷに接続され，第２のボード２５０，３５０が有線ネットワークＥに接続されるように構成可能であることは言うまでもない。
【００８４】
また，上記実施形態では，第１のリンク部２４０，３４０，第２のリンク部２７０，３７０は，相互に連結するために，それぞれ，接続溝２４５，３４５，接続突起２７５，３７５を具備していたが，本発明は，かかる例に限定されるものではなく，通常に使用されるケーブル連結方式などの各種の形態で，第１のリンク部２４０，３４０と第２のリンク部２７０，３７０とを連結できる。
【産業上の利用可能性】
【００８５】
本発明は，ネットワークへの接続が可能な電子機器に適用可能であり，特に，安価で簡単な構造のネットワーク電子機器に適用可能である。
【図面の簡単な説明】
【００８６】
【図１】一般的なネットワーク電子機器の一例であるプリンタの外観を示す斜視図である。
【図２】従来のネットワークインターフェース装置をネットワーク電子機器に装着する方法を示す斜視図である。
【図３】本発明の第１の実施形態に係るネットワークインターフェース装置の外観を示す分離斜視図である。
【図４】同実施形態に係るネットワークインターフェース装置の構成を示すブロック図である。
【図５】本発明の第２の実施形態に係るネットワークインターフェース装置の外観を示す分離斜視図である。
【図６】同実施形態に係るネットワークインターフェース装置の構成を示すブロック図である。
【符号の説明】
【００８７】
Ｅ：有線ネットワーク
Ｗ：無線ネットワーク
１００：ネットワークプリンタ
１１８：接続スロット
２００，３００：ネットワークインターフェース装置
２１０，３１０：第１のボード
２１１，２５１，３１１，３５１：基板
２１５，３１５：第１の接続端子
２１７，３１７：第１のポート
２２０，３２０：第１のデータ処理ユニット
２３０，３３０：補助コントロールユニット
２４０，３４０：第１のリンク部
２４５，３４５：接続溝
２５０，３５０：第２のボード
２６０，３６０：第２のデータ処理ユニット
２７０，３７０：第２のリンク部
２７５，３７５：接続突起
２８０，３８０：第２のポート
２１９，３１９：第３のポート
３９０：第２の接続端子
Ｌ：ＬＡＮケーブル
Ａ：アンテナ
【図１】
2005018771.tif 000003
【図２】
2005018771.tif 000004
【図３】
2005018771.tif 000005
【図４】
2005018771.tif 000006
【図５】
2005018771.tif 000007
【図６】
2005018771.tif 000008